(57)【特許請求の範囲】
【請求項１】
光ケーブルの心線接続部と、該心線接続部から延びる心線余長を収納する心線余長収納部とからなる接続モジュールＡと、成端モジュールＢとを備えケース本体３に蓋ケース４を開閉自在に設け、該ケース本体３内に導入されて前記心線接続部に至る光ケーブルＣのケーブル及びテンションメンバを保持するケーブル把持金具５，５１  ，６を具備したキャビネットであって、前記ケース本体３にプラグ１３１  を備えたプラグ収納トレイ１３と、これに重合配備した余長収納トレイ１４とからなる成端モジュールＢを各トレイそれぞれ独立して支軸１５により旋回自在に設けると共に、該支軸１５を前記ケース本体３にブラケット３０で固定されたヒンジ部３１で回動自在に設けた断面略コ字状の支持板のフレーム３２に備え各支持板に沿って前記成端モジュールＢを定置したことを特徴とする光ケーブル接続部収納用キャビネット。
【請求項２】
前記フレーム３２が、成端モジュールＢを定置し、ケース本体３に固定した弾性支片３３に係脱自在に配備されている請求項１記載のキャビネット。
【請求項３】
前記フレーム３２が、回動操作ハンドル３４を備えたものであって、ケース本体３外に水平状態に展開できる請求項１または２記載のキャビネット。
【発明の詳細な説明】
【０００１】
【発明の属する技術分野】
本発明は、光ファイバ心線とテンションメンバとを有する光ケーブルの接続や分岐配線に用いる光ケーブル接続箱、詳しくは、ケース本体にテンションメンバを含む光ケーブルなどの各光ファイバケーブルを接続、分岐して止着状態に保持するようにした光ケーブル接続部収納用キャビネットに関する。
【０００２】
【従来の技術】
一般に、光ファイバ心線とテンションメンバを有する光ケーブルの接続に際しては、テンションメンバを止着することが不可欠であり、さらに光ファイバの分岐・引込接続には接続作業の失敗を見越して心線に余裕を持たせた余長処理も不可欠であって、これら接続部を含む心線の保護が必要とされている。このため従来では、心線接続後に接続部や心線余長を収納する収納トレイが多数枚使用され、かつ防塵・防水性のカバーが用いられている。
【０００３】
【発明が解決しようとする課題】
しかしながら、従来の光ケーブル接続箱にあっては、特別なケースやカバー並びにシートを用いる心線接続処理部材が必要で組立部品も多く、カバー保持や任意の心線のハンドリングもやっかいであって、心線接続の安全性や、作業性の上でも問題であり取扱並びに構造が複雑化してコスト高となるほか内部空間が小さいことから心線余長が収納しにくくケーブル接続の作業性が低いという問題があった。
本発明は、これら従来の諸欠点を排除しようとするもので、ケース本体の開閉操作や心線接続の交換並びに増設が簡単にでき、取り扱い容易であり、安全な接続処理作業が行えて、作業性を大巾に向上すると共に、心線接続部と余長とが完全に分離状態で納められるし、余分な収納部材を不要とし、低コストの光ケーブル接続部収納用キャビネットを提供することを目的としたものである。
【０００４】
【課題を解決するための手段】
本発明は、光ケーブルの心線接続部と、該心線接続部から延びる心線余長を収納する心線余長収納部とからなる接続モジュールＡと、成端モジュールＢとを備えケース本体３に蓋ケース４を開閉自在に設け、該ケース本体３内に導入されて前記心線接続部に至る光ケーブルのケーブル及びテンションメンバを保持するケーブル把持金具５，５１  ，６を具備したキャビネットであって、前記ケース本体３にプラグ１３１  を備えたプラグ収納トレイ１３と、これに重合配備した余長収納トレイ１４とからなる成端モジュールＢを各トレイそれぞれ独立して支軸１５により旋回自在に設けると共に、該支軸１５を前記ケース本体３にブラケット３０で固定されたヒンジ部３１で回動自在に設けた断面略コ字状の支持板のフレーム３２に備え各支持板に沿って前記成端モジュールＢを定置したものである。
【０００５】
【発明の実施の形態】
本発明の実施の形態の光ケーブル接続部収納用キャビネットは、蓋ケースにある錠部にキーを差し込んで廻すと、錠が外れ蓋ケースを摺動して嵌脱すれば開蓋でき、ケース本体のケーブル把持金具にケーブルを把持してテンションメンバ把持部にケーブルのテンションメンバを止着し、引き出された心線は内配線材料に接続し、分岐配線される心線は心線係止部を経てケース本体内に配索される。キャビネット内では、心線接続部が収納され、しかも、成端モジュールを載置したフレームを回動操作片で前方に引き下げると、弾性支片から外れたフレームがヒンジ部を中心として回動でき、ケース本体外に水平状態に展開され或いは垂直状態のままでプラグ収納トレイ、或いは余長収納トレイを支軸を中心として回動させて内部を露呈し、キャビネットの取付状態によって成端モジュールへの作業方向が制約を受けることがなく作業しやすい状態に成端モジュールを展開定置でき、しかも断面略コ字状の支持板に沿って成端モジュールを定置してあるのでプラグ収納トレイと余長収納トレイの各トレイを安全に保護収納できると共に、成端モジュールの配置転換をも安定して確実に行なえ取扱いの安全性を高め作業しやすい状態の確保が容易でありプラグによる接続作業並びに点検修理作業が容易にでき、心線余長は余長収納トレイに収容して納められ、元に戻してフレームを引き起し弾性支片に係合して固定できるので心線接続の交換並びに増設が簡単にでき、余長収納ポケットで心線余長の収容の余分な外力のかからないし、一目でわかる配線ができて識別性良好であると共に、任意の心線のハンドリングも容易で取扱いも簡便であり、各心線余長の収容保持も確実で、心線の固定化もワンタッチで可能で接続、分岐の作業を安全かつ容易にすることができる。
この心線処理が終了したのちは蓋ケースをケース本体に閉着して錠部でケース本体に閉蓋ロックされ、みだりに開蓋せず確実な防水・防塵効果をあげて心線接続部の安全な収納保護ができる。
【０００６】
【実施例】
以下、この発明の実施例を図１乃至図４を参照して説明すると、光ファイバケーブル接続部収納用キャビネット（以下、キャビネットと略称する。）は、光ケーブルの心線接続部を着脱自在に支持する支持部１と、前記心線接続部から延びる心線余長を収納する心線余長収納部２とからなる接続モジュールＡと、成端モジュールＢとを備えたケース本体３と、該ケース本体３に開閉自在に設けた蓋ケース４とから構成され、該ケース本体３内に導入されて前記心線接続部に至る光ケーブルＣの光ケーブル及びテンションメンバを保持する引き込みケーブル把持具５と引き落しケーブル把持具５１  とフロアケーブル把持具６とを具備したものであって、前記ケース本体３にプラグ１３１  を備えたプラグ収納トレイ１３と、これに重合配備した余長収納トレイ１４とからなる成端モジュールＢを各トレイそれぞれ独立して支軸１５により旋回自在に設けると共に、該支軸１５を前記ケース本体３にブラケット３０で固定されたヒンジ部３１で回動自在に設けたフレーム３２に備え前記成端モジュールＢをケース本体外に導出できる構成としてある。
【０００７】
この場合、成端モジュールＢの前記プラグ収納トレイ１３と、余長収納トレイ１４とは、それぞれ独立して支軸１５に旋回自在に備えてフレーム３２に重合載置される。
また、前記フレーム３２は断面略コ字状の支持板を用い、各支持板に沿って成端モジュールＢを定置し、ケース本体に固定した弾性支片３３に係脱自在に配備されキャビネット内で一括して回転展開並びに固定ができるようにしてある。
【０００８】
なお、前記フレーム３２には回動操作ハンドル３４を備えたものであって、ケース本体３外に水平状態に展開しやすい構成としてある。
さらに、前記成端モジュールＢとしては余長収納トレイ１４に開閉蓋１４１  を備え、該余長収納トレイ１４をプラグ収納トレイ１３上に重積載置させて各トレイが閉状態が維持でき内部の保護に役立ててある。
【０００９】
前記ケーブル把持具はケース本体３のケーブル配索孔に臨んで締付ネジ７で取付けられるが、ケーブル挾持片１６と、テンションメンバ固定片１７とを突設して引き込みケーブル把持具５と引き落しケーブル把持具５１  とにし、両ケーブル把持具５，５１  の間にそれぞれにフロアケーブル把持具６を取付ネジ７で着脱自在に配備して光ケーブルのクランプ固定化を簡便化してある。
【００１０】
前記接続モジュールＡとしては図４に示すように接続部の支持部１と心線余長収納部２となる心線巻回部位と、ケーブル導出入口にケーブル押え２８を有するトレイ２０と、該トレイ２０に被覆されるカバー２１にケーブルクランプ２２と開口２３及びケーブル巻付片２４とを備え、係止部２５並びに取付舌片２６によってカバー２１がトレイ２０に嵌着できるようにしたもので、ブラケット２７によってケース本体３に定着して用いられるようになっている。
【００１１】
また、前記フロアケーブル把持具６には断面略Ｅ字状のケーブル押えのあるケーブルクランプ６１をネジによって締着してある。前記ケーブルクランプ６１は複数のフロアケーブルを一括してブロック的に把持できるようにするのがよい。
【００１２】
図５の具体例では、前記ケース本体３は、成端モジュールＢを回動自在で脱着自在に備えたものであって、該成端モジュールＢをプラグ収納トレイ１３と余長収納トレイ１４とに上下２段に分離して互に支軸１５で旋回できる連結構造としてケース本体３外に回動引き出せるものであって、開閉蓋を開けて心線余長の収納とプラグ１３１  との接続点検作業が容易にできるようにしてあるし、保留心線収納シート１１を必要に応じ付設する。
【００１３】
なお、前記ケース本体３には接続モジュールＡと引き落しケーブル把持具５１  及びフロアケーブル把持具６との間に心線結束具１０を備えていて、さらに前記引き込みケーブル把持具５にアース９付きのテンションメンバクランプをテンションメンバ固定片１７に嵌着したものを用いるのがよい。前記接続モジュールＡとしては、ケーブル挿入溝のあるケーブルクランプ２２と、該ケーブルクランプ２２から延びる心線を支持部１に保持する接続部を経てサークル状に収納する余長ポケット部１９と、該余長ポケット部１９に設けた開閉扉とを備えたものをブラケット２７で前記ケース本体３に着脱自在に設けてある。
前記テンションメンバ固定片１７には、ケーブルに固着したリングを挿脱しうるガイド挾持片とからなり、ケーブルの挿入、挿脱を簡便化できるようにしてある。
さらに、引き込みケーブルの場合はアースを取るために前記固定リングにアース９をつけたものに直接テンションメンバをネジで固定部にネジ留めするのがよい。
【００１４】
前記接続モジュールＡに設けたケーブルクランプ２２は、所定間隔で立設された複数の櫛状の仕切板、或いは間隔をあけて立設する支杆群とから構成され、心線余長ポケット１９の開口２３に臨んで設けられていて、心線をそれぞれ仕切板間に形成された隙間に、上方から縦に挿入することで支持できるようにしたものである。
【００１５】
このキャビネットは、樹脂の射出成形等により成形され、ケーブル導入用の配索孔が形成され、該ケーブル配索孔に防塵カバーを嵌装し、ここから光ファイバ心線とテンションメンバを有する複数の光ケーブルを導入し、把持金具５，５１  でケース本体３に定着できるようにしてあり、光ケーブル接続用のプラグ１３１  および／またはコネクタのあるプラグ収納トレイ１３と心線余長の余長収納トレイ１４とを有する成端モジュールＢと、接続モジュールＡを内装してある。
【００１６】
なお、前記成端モジュールＢは、ケース本体３にヒンジ部３１で回動自在で係脱可能に内装され、錠３５のある保護カバーの内蓋３６１を有して余長収納部の配線整列を確実にしてある。
さらに、前記接続モジュールＡはケース本体３に着脱自在にネジ止めされるが、ケース本体壁と余長収納部壁に対応形成した嵌合係止部で嵌着できるようにしてもよく、壁面定着用の取付孔を活用してもよい。
【００１７】
この実施の形態にかかる光ケーブル接続用収納ケースにあっては、分岐光ケーブルと引込光ケーブルの接続に際しては、先ず、キャビネットのケース本体３を建物の外壁面にビス３６等を用いて固定し、分岐光ケーブルと引込光ケーブルをそれぞれ配索溝に、例えば、分岐光ケーブルを一方の配索孔に引込光ケーブルを他方の配索孔に通す。そして、各光ケーブルの光ファイバ心線はケーブルクランプ２２或いは心線結束具１０に押し込み固定し、接続モジュールＡの接続部支持部１および余長収納部２に導いてコネクタにより接続し、その余長部分を巻回保持する。
【００１８】
そして、ケース本体３に蓋ケース４をかぶせて閉蓋して錠部２９によってロック状態となって閉蓋状態を維持する。また開蓋時には錠部２９にキーを差込んで９０度回せば蓋ケース４が開放でき、ケース本体３から取り外すことができケース本体３内の配線作業が容易にできる。
【００１９】
また、成端モジュールＢの内配線材料は、一端にフエルールを設けたテープを単心分離部で多数に分岐し、各単心線の他端にＳＣ簡易プラグまたはＭＰＯ簡易プラグのプラグ１３１  を備えた既製の変換心線を用いるのが便利であり、接続モジュール内配線材料も一端にＳＣコネクタまたはＭＰＯコネクタを設けた既製の心線を用いるのもよい。
さらに、各成端モジュールＢは取付部材でブラケットに対して個々に脱着できたりスライドさせて配線点検処理作業をしやすくすると共に、定着した際にも支持されて任意の心線をハンドリングしやすくすることも配慮してあり、必要に応じ外して取り出しもでき一目でわかりやすく識別性を良好にし、そして、各光ケーブルの光ファイバ心線はケーブル巻回・接続部に導いて、その余長部分を心線収納部に巻き取って保持するので、配線処理作業が容易にでき、またこのモジュールを差し込むだけの簡単な操作で切替交換並びに増設ができるようにすることもできる。
【００２０】
コネクタの交換及び増設は、ケーブルおよびコネクタを差し込むだけの簡単な作業でできるようにしてあって、しかも任意の心線のハンドリングも容易にできるようにしてあり、心線余長もポケット部によって収納処理でき、また開閉扉を開くことによって一目でわかる配線形態で識別性も著しく容易にできるようにしてある。
【００２１】
【発明の効果】
本発明は、光ケーブルの心線接続部と、該心線接続部から延びる心線余長を収納する心線余長収納部とからなる接続モジュールＡと、成端モジュールＢとを備えケース本体に蓋ケースを開閉自在に設け、該ケース本体内に導入されて前記心線接続部に至る光ケーブルのケーブル及びテンションメンバを保持するケーブル把持金具を具備したキャビネットであって、前記ケース本体にプラグを備えたプラグ収納トレイと、これに重合配備した余長収納トレイとからなる成端モジュールＢを各トレイそれぞれ独立して支軸により旋回自在に設けると共に、該支軸を前記ケース本体にブラケットで固定されたヒンジ部で回動自在に設けた断面略コ字状の支持板のフレームに備え各支持板に沿って前記成端モジュールＢを定置したことにより、心線接続の交換並びに増設が簡単にでき、心線余長の収容も簡便化し、かつ一目でわかる配線ができて識別性良好で、しかも成端モジュールの固定並びに展開可動で任意の心線のハンドリングが可能で取り扱い容易であり、安全な接続処理作業が行えて、ケース本体に対して水平面或いは垂直面にプラグ収納トレイと余長収納トレイをそれぞれ独立して展開できるのでキャビネットの取付状態によって成端モジュールへの作業方向が制約を受けることがなく作業しやすい状態に成端モジュールを展開定置でき、しかも断面略コ字状の支持板に沿って成端モジュールを定置してあるのでプラグ収納トレイと余長収納トレイの各トレイを安全に保護収納できると共に、成端モジュールの配置転換をも安定して確実に行なえ取扱いの安全性を高め作業しやすい状態の確保が容易であり作業性を大巾に向上すると共に、心線接続部と余長とが完全に分離状態で納められるし、ケーブルおよび心線接続部のみ固定すればよいので、余分な収納部材を不要とし、低コストで生産できるなど実用上の効果がある。
また、本発明では、キャビネットの内部でのケーブル把持とケーブル配線の確実化でスペースを有効に用いられコンパクト化と作業性向上とが実現できるし、切替操作も容易に作業でき、しかも心線並びにケーブル把持も最小工具で作業性を大幅に向上でき、心線余長収納も簡単で安全確実なケーブル配線が可能で構成も簡単で安価な形態で取扱い容易な光ケーブル接続部収納キャビネットとすることができる。
【図面の簡単な説明】
【図１】  本発明の実施例を示し内部を表した状態で、（ａ）はその正面図、（ｂ）は切断平面図、（ｃ）は切断左側面図、（ｄ）は切断右側面図である。
【図２】  図１の例の成端モジュールを示し、（ａ）はその展開状態の正面図、（ｂ）は分離状態の正面図である。
【図３】  図１の例の成端モジュール用のフレームを示し、（ａ）はその正面図、（ｂ）は左側面図、（ｃ）は底面図、（ｄ）は右側面図である。
【図４】  本発明で用いられる接続モジュールを示し、（ａ）は正面図、（ｂ）は底面図、（ｃ）はＡ−Ａ線における縦断面図である。
【図５】  本発明で用いられる他の例で蓋ケースを切欠した状態を示し、（ａ）は蓋ケースを切欠して内部を示す正面図、（ｂ）は一部切欠平面図、（ｃ）は一部切欠側面図である。
【符号の説明】
Ａ        接続モジュール
Ｂ        成端モジュール
Ｃ        光ケーブル
１        支持部
２        心線余長収納部
３        ケース本体
４        蓋ケース
５，５１    ケーブル把持金具
６        フロアケーブル把持具
９        アース
１０      心線結束具
１１      保留心線収納シート
１２      ヒンジ部
１３      プラグ収納トレイ
１３１      プラグ
１４      余長収納トレイ
１４１ 開閉蓋
１５      支軸
１６      ケーブル把持片
１７      テンションメンバ固定片
２９      錠部
３０      ブラケット
３１      ヒンジ部
３２      フレーム
３３      弾性支片
３４ 回動操作ハンドル
６１      ケーブルクランプ
【図１】
0003835886.tif 000002
【図２】
0003835886.tif 000003
【図３】
0003835886.tif 000004
【図４】
0003835886.tif 000005
【図５】
0003835886.tif 000006